(57)【要約】【課題】ワンウェイクラッチ組立時において外輪に圧入する際の保持器の損傷を防ぐと共に、圧入後の保持器の変形を防ぐことができる。【解決手段】外輪と内輪との間の環状空間に設けられた係合子を収容するポケット部を備え、前記外輪に圧入されるワンウェイクラッチ用保持器であって、前記保持器の軸方向中央に設けられた凸部が前記外輪に圧入されていて、前記凸部を基準にして軸方向一方側と軸方向他方側とが対称であり、前記凸部が圧入される圧入領域と前記凸部が圧入されない非圧入領域とが周方向に交互に設けられていて、前記非圧入領域は、前記保持器の軸心を挟んで前記圧入領域と対向する位置に設けられている。【選択図】図７
2019143777.tif 000002
【特許請求の範囲】
【請求項１】
外輪と内輪との間の環状空間に設けられた係合子を収容するポケット部を備え、前記外輪に圧入されるワンウェイクラッチ用保持器であって、
前記保持器の軸方向中央に設けられた凸部が前記外輪に圧入され、
前記凸部を基準にして軸方向一方側と軸方向他方側とが対称形状であり、
前記凸部が圧入される圧入領域と前記凸部が圧入されない非圧入領域とが周方向に交互に設けられていて、
前記非圧入領域は、前記保持器の軸心を挟んで前記圧入領域と対向する位置に設けられているワンウェイクラッチ用保持器。
【請求項２】
前記圧入領域は、周方向に沿って少なくとも３箇所設定されている請求項１に記載のワンウェイクラッチ用保持器。
【請求項３】
前記ポケット部が設定される軸方向範囲と前記凸部が設定される軸方向範囲とが軸方向に重複している、請求項１又は２に記載のワンウェイクラッチ用保持器。
【請求項４】
請求項１から３のいずれか一つに記載のワンウェイクラッチ用保持器を備え、前記係合子としてスプラグを用いたスプラグ型ワンウェイクラッチ。
【発明の詳細な説明】
【技術分野】
【０００１】
この発明は、ワンウェイクラッチ用保持器及びそれを備えたスプラグ型ワンウェイクラッチに関するものである。
【背景技術】
【０００２】
一般に、ワンウェイクラッチは、相対的な回転を行う内輪と外輪との間の空間に、種々の係合子を配置した構成とされている。特に、スプラグ型ワンウェイクラッチは、内輪と外輪との互いの回転方向によって、係合子として配置されたスプラグがその姿勢を変えることで、内輪と外輪との相対的な回転を許容する状態と、相対的な回転を阻止する状態とに切り替える機能をもっている。
【０００３】
この種のスプラグ型ワンウェイクラッチでは、環状の保持器の周方向に沿って、一定の間隔でスプラグ挿入用のポケット部が設けられている。このポケット部内に、ひょうたん型等の断面形状をもったスプラグが配置される。
【０００４】
各スプラグは、一つまたは二つ以上の曲率半径で形成される外輪側カム面と内輪側カム面を有している。外輪側カム面は外輪の内周軌道面に、内輪側カム面は内輪の外周軌道面に係合する。
【０００５】
また、スプラグ同期型ワンウェイクラッチと呼ばれるクラッチでは、スプラグを保持器によって周方向に一定の間隔で保持すると共に、リボンスプリングによって各スプラグを係合方向に付勢している。
【０００６】
特許文献１には、環状を成す円筒部の軸方向端部に、外径方向へ突出するフランジ部を備え、そのフランジ部を外輪内周面に圧入する保持器が開示されている。特許文献１の保持器では、円筒部にフランジ部から離れるほど小径となる向きにテーパが付与されている。そして、保持器を外輪に組み込む際に外輪に圧入したフランジ部を縮径方向に変形させることで、円筒部を組み込み前のテーパを解消して円筒形としている。
【０００７】
また、特許文献２には、周方向に沿って外輪内周面より径が大きい大径部分と、外輪内周面より径が小さい小径部分とを交互に有するフランジ部を備えた保持器が開示されている。特許文献２の保持器では、大径部分と小径部分との間には切り欠きが設けられており、外輪への組み込み時に弾性を備えた当該切り欠きによって大径部分を撓ませている。
【先行技術文献】
【特許文献】
【０００８】
【特許文献１】特開２００４−１１６６７９号公報
【特許文献２】特開平１１−１４１５７７号公報
【発明の概要】
【発明が解決しようとする課題】
【０００９】
上記特許文献１では、保持器のうち外輪内周面に圧入される部分が、軸方向一方の端部に位置し、軸方向他方の端部には外輪内周面には圧入されない軸方向他方の端部が位置している。このため、保持器は外輪に対して片持ち状態であり、外輪に圧入後に、スプラグから保持器に想定を超えるような大きな力が作用した場合に、保持器の断面形状が崩れる懸念がある。
【００１０】
上記特許文献２も同様に、保持器は外輪に対して片持ち状態であるほか、外輪内周面への圧入部分はフランジ部のうち周方向の一部（大径部分）のみである。このため、外輪への組み込み時に無理な圧入をすると、大径部分に大きな力が作用して保持器が損傷する懸念がある。また、大径部分の圧入によって、大径部分に繋がっている筒部には変形が生じる。このとき、小径部分は外輪内周面よりも径が小さいため、その小径部分に繋がる筒部の変形量は大径部分に繋がる筒部の変形量よりも相対的に小さくなる。このため、筒部の形状が波打つ形状となってしまう懸念がある。
【００１１】
そこで、この発明は、ワンウェイクラッチ組立時において外輪に圧入する際の保持器の損傷を防ぐと共に、圧入後の保持器の変形を防ぐことを目的としている。
【課題を解決するための手段】
【００１２】
上記の課題を解決するために、この発明は、外輪と内輪との間の環状空間に設けられた係合子を収容するポケット部を備え、前記外輪に圧入されるワンウェイクラッチ用保持器であって、前記保持器の軸方向中央に設けられた凸部が前記外輪に圧入されていて、前記凸部を基準にして軸方向一方側と軸方向他方側とが対称であり、前記凸部が圧入される圧入領域と前記凸部が圧入されない非圧入領域とが周方向に交互に設けられていて、前記非圧入領域は、前記保持器の軸心を挟んで前記圧入領域と対向する位置に設けられているワンウェイクラッチ保持器を採用した。
【００１３】
また、前記圧入領域は、周方向に少なくとも３箇所設定されている構成を採用することができる。さらに、前記ポケット部が設定される軸方向範囲と前記凸部が設定される軸方向範囲とが軸方向に重複している構成を採用することができる。
【００１４】
これらの各態様からなるクラッチ用保持器を用い、前記係合子としてスプラグを用いたスプラグ型ワンウェイクラッチの構成を採用することができる。
【発明の効果】
【００１５】
この発明によれば、ワンウェイクラッチ組立時において外輪に圧入する際の保持器の損傷を防ぐと共に、圧入後の保持器の変形を防ぐことができる。
【図面の簡単な説明】
【００１６】
【図１】この発明の一実施形態を示すワンウェイクラッチの全体正面図
【図２】この発明の一実施形態を示すワンウェイクラッチの斜視図
【図３】保持器に係合子を組み込んだ状態を示す斜視図
【図４】保持器の詳細を示し、（ａ）は斜視図、（ｂ）は側面図、（ｃ）は断面図
【図５】（ａ）はリボンスプリングの斜視図、（ｂ）はスプラグの斜視図
【図６】外輪、内輪、係合子、保持器等の位置関係を示す要部拡大図
【図７】保持器の外輪への圧入開始箇所を３箇所設けた場合の保持器の変形状態を示し、（ａ）は正面図、（ｂ）は（ａ）の平面図
【図８】図７のように変形させた保持器を外輪の軸心に直交する面に対して傾斜させた状態を示す説明図
【図９】保持器を楕円形に変形させた状態を示し、（ａ）は正面図、（ｂ）は（ａ）の平面図
【図１０】図９のように変形させた保持器を外輪の軸心に直交する面に対して傾斜させた状態を示す説明図
【発明を実施するための形態】
【００１７】
以下、この発明の実施形態を、図面に基づいて説明する。この実施形態は、スプラグ型ワンウェイクラッチ１（以下、単に「クラッチ１」と称する）であり、さらに、そのクラッチ１に用いられるクラッチ用保持器１０、そのクラッチ用保持器１０のクラッチ１への組み込み方法に関するものである。なお、この実施形態のクラッチ１は、エンジンを搭載する車両の自動変速機のトルクコンバータに用いられることを想定している。
【００１８】
クラッチ１は、図１及び図２に示すように、内周軌道面（内周面）２ａを有する外輪２と、外輪２内に同軸状に配置されて外周軌道面３ａを有する内輪３と、外輪２と内輪３との間の環状空間内に配置される複数の係合子４としてのスプラグ（以下、「スプラグ４」と称する）と、を備えたものである。スプラグ４は、内周軌道面２ａと外周軌道面３ａとの間でトルクを伝達する。クラッチ１は、内輪３と外輪２との互いの回転方向によって、スプラグ４がその姿勢を変えることで、内輪３と外輪２との相対的な回転を許容する状態と、相対的な回転を阻止する状態とに切り替える機能を有している。
【００１９】
クラッチ１は、スプラグ４を周方向に沿って保持するクラッチ用保持器１０（以下、「保持器１０」と称する）と、スプラグ４を内周軌道面２ａと外周軌道面３ａとに係合する方向へ付勢するために、外輪２と内輪３との間に配置されるスプラグ付勢用の弾性部材５であるリボンスプリング（以下、「リボンスプリング５」と称する）とを備える。この実施形態のクラッチ１は、トルクコンバータ等の実機に組み込まれる場合は、クラッチＡＳＳＹ（外輪２、保持器１０、スプラグ４、リボンスプリング５を含む）の状態であるが、以下に示す図３等では理解がしやすいように、外輪２の図示を省略している。
【００２０】
保持器１０は、図３及び図４に示すように、環状の部材で構成され、スプラグ４を収容するポケット部１１を、周方向に沿ってスプラグ４の数と同数備えている。ポケット部１１は周方向に沿って等間隔に設けられる。このポケット部１１は、クラッチ１の軸方向に並列する対の環状部１２，１２同士を軸方向へ結ぶ複数の柱部１３によって周方向に沿って区画されている。すなわち、周方向に隣接する柱部１３，１３間の空間が、保持器１０を内周面側から外径側へと貫通するポケット部１１となっている。柱部１３は、保持器１０の軸方向中央部に設けられていて、環状部１２の外周縁よりも径方向外側に突出している凸部である。本実施形態では、複数の柱部１３のうち一部の柱部１３が外輪２に圧入される圧入部となる。
【００２１】
柱部１３は、狭小部１３ａと、一対の根元部１３ｂとを有している。柱部１３の軸方向中央部、すなわち、柱部１３におけるクラッチ１の軸方向に対する中央部に、環状部１２と連続して当該環状部１２の外周縁から径方向外側に延びる根元部１３ｂよりも周方向幅が狭い狭小部１３ａが設けられている。狭小部１３ａは軸方向に延びて、一対の根元部１３ｂを連結している。根元部１３ｂは、環状部１２の外周縁から径方向外側でかつ軸方向内側に向けて傾斜して延びている。
【００２２】
狭小部１３ａは、径方向から視て矩形状である。狭小部１３ａの外径は、外輪２の内径よりもやや大きな径となるように設定されている。換言すると、後述する外側保持器１０ａの外径は、外輪２の内径よりも大きい。柱部１３が外輪２に圧入されるとき、狭小部１３ａの外周面１４が外輪２の内周面２ａと当接する。
【００２３】
この実施形態のクラッチ１は、保持器１０として、図１〜図３及び図６に示すように、外輪２寄りに配置される外側保持器１０ａと、内輪３寄りに配置される内側保持器１０ｂとで構成している。リボンスプリング５は外側保持器１０ａと内側保持器１０ｂとの間に配置され、クラッチ１はスプラグ同期型ワンウェイクラッチとして機能する。このため、外輪２に圧入される凸部を備えた上記保持器１０の構成は、外側保持器１０ａに適用される。なお、内側保持器１０ｂを省略して、リボンスプリング５の外径側にのみ保持器１０を配置した構成を採用することもできる。
【００２４】
外側保持器１０ａは、例えば、冷間圧延鋼板（ＳＰＣＣ）等の金属素材で構成されている。内側保持器１０ｂは、樹脂又は金属のいずれかの素材によって構成されている。
【００２５】
外側保持器１０ａは、帯状鋼板を丸めて、その両端部を溶接によって接合した接合部Ｗを有する溶接保持器である。なお、外側保持器１０ａにおいて、スプラグ４を挿入するポケット部１１とポケット部１１との間に、スプラグ４を挿入しないダミーポケット部を設けてもよい。ダミーポケット部を設けた場合、当該ダミーポケット部に接合部Ｗを設けてもよい。スプラグ４を挿入しないため、寸法管理の必要性が無いダミーポケット部に接合部Ｗを設けることで、外側保持器１０ａの製造作業性を向上させることができる。また、外側保持器１０ａは、金属からなる薄板を略円形状で打ち抜いた後、プレス加工等により塑性変形させて円筒状に絞ることで形成したプレス保持器であってもよい。
【００２６】
リボンスプリング５は、スプラグ４を、内輪３と外輪２への係合方向へ付勢するために、外側保持器１０ａの内周面側に沿うように配置される。リボンスプリング５は、図５（ａ）に示すように、保持器１０と同様のハシゴ形状をなす帯状部材で構成され、クラッチ１の軸方向に沿って並列する対の縦部材５ａ，５ａと、縦部材５ａ，５ａ間を周方向に沿って一定の間隔毎に結ぶ柱部５ｂとを備える。
【００２７】
リボンスプリング５は、金属材料によって形成された環状の部材で構成される。この実施形態のリボンスプリング５は、薄い金属板をプレス加工により打ち抜き製作された帯状の部材を用い、その長手方向端部同士を溶接することで円筒状に形成している。なお、リボンスプリング５以外にも、例えば、コイルバネ等の他の弾性部材５を採用してもよい。
【００２８】
リボンスプリング５の周方向に隣接する柱部５ｂ，５ｂ間の空間は、内径側から外径側へと貫通する孔となっている。この孔により、スプラグ４を収容するスプラグ収容孔５ｄを構成している。各スプラグ収容孔５ｄには、そのスプラグ収容孔５ｄの一方の端部寄りに配置される柱部５ｂから、そのスプラグ収容孔５ｄ内に向かって他方側へ突出する舌片部５ｃが設けられる。舌片部５ｃは、狭小部１３ａ近傍においてスプラグ４の側面４ｃに当接して、そのスプラグ４を外輪２及び内輪３への係合方向に付勢する。
【００２９】
スプラグ４は、図５（ｂ）に示すように、その外径側に外輪２の内周軌道面２ａへの係合面であるカム面４ａを、その内径側に内輪３の外周軌道面３ａへの係合面であるカム面４ｂを備える。
【００３０】
上述の通り、外側保持器１０ａは溶接保持器であるため、図４（ｂ）に示すように、ポケット部１１が設定される軸方向範囲Ｐと、狭小部１３ａが設定される軸方向範囲Ｆとが、軸方向へ重複して設定されている。このように、外側保持器１０ａは、その軸方向中央部分で外輪２の内周面２ａに圧入される形状となっているので、クラッチ１の組み立ての際における外輪２への圧入時に、その凸部を挟んで、外側保持器１０ａの軸方向一方側に作用する力と軸方向他方側に作用する力とのバランスがよい。特に、この実施形態では、凸部の軸方向中心線（狭小部１３ａの軸方向中央を通る線）Ｌを基準として、軸方向一方側と軸方向他方側とが断面対称形状であることから、軸方向中心線Ｌを基準として、軸方向一方側に作用する力と軸方向他方側に作用する力とを均等に近づけることができる。このため、軸方向一端部にフランジ部を有する保持器と比べて、外輪２への圧入時に、ポケット部１１周囲の環状部１２や柱部１３等の形状が崩れることがない。
【００３１】
また、この実施形態では、凸部は、対の環状部１２，１２間を結ぶ柱部１３に設定されているので、外輪２の内周面２ａへの圧入時における部材の破損や変形を少なくできる。すなわち、従来の保持器では、組み込み時に無理な圧入をすると、その圧入部分であるフランジ部に大きな力が作用して部材が割れてしまう懸念があった。フランジ部は外径方向に立ち上がる薄板状の部材であることも理由の一つである。また、その大径部分の圧入によって、大径部分に繋がっている筒部にも周方向に沿って不均一な変形が生じる懸念があった。
【００３２】
しかし、この実施形態のように凸部が柱部１３に設けられていれば、柱部１３においては外輪２に対する当たり面を比較的広く確保できるので、外側保持器１０ａに生じる力（面圧）を分散でき、その結果、部材の損傷等も抑制できるという効果が期待できる。なお、凸部を設定する狭小部１３ａの幅（周方向への幅）を広くすれば、あるいは、凸部の軸方向範囲を長くすれば、さらに力の分散が可能である。
【００３３】
また、この実施形態では、外側保持器１０ａは、周方向に沿って所定の間隔Ｍで複数の凸部が圧入される複数の圧入領域Ａ，Ｂ，Ｃ・・・を複数備えている。
【００３４】
具体的には、図７に示すように、外側保持器１０ａは、外輪２の内周面２ａへの圧入前の状態で、複数の凸部が並列する圧入領域Ａ，Ｂ，Ｃを複数備えており、さらに、外輪２の内周面２ａへの圧入前の状態で、周方向に隣り合う圧入領域Ａ，Ｂ，Ｃ同士の間に、凸部が圧入されない複数の非圧入領域Ｎが設定されている。非圧入領域Ｎは、外輪２の内周面２ａと径方向に隙間を設けて対向する柱部１３（の狭小部１３ａ）が存在する領域である。
【００３５】
外側保持器１０ａの外周全周では、非圧入領域Ｎが占める割合が圧入領域Ａ，Ｂ，Ｃが占める割合よりも大きい。
【００３６】
図７の例では、外側保持器１０ａは、圧入領域Ａ，Ｂ，Ｃが周方向に沿って３箇所設定されている。図では、形状をわかり易くするために、圧入領域Ａ，Ｂ，Ｃでの曲率を強調して大きく（曲線半径を小さく）しており、デフォルメして記載しているが、実際には、圧入領域Ａ，Ｂ，Ｃと非圧入領域Ｎとの曲率の差は、図７よりも小さい程度に抑えられる。外側保持器１０ａは、真円の状態ではなく、図７に示すような真円が崩れた状態で、外輪２の内周面２ａへの圧入が行われる。図中の符号Ｒは、真円の状態を示している。
【００３７】
このように、外輪２の内周面２ａへの圧入領域Ａ，Ｂ，Ｃを、外側保持器１０ａの外周全周に亘って設けるのではなく、実際に外輪２の内周面２ａに圧入される部分を周方向に沿って複数に分割した形状としたので、外側保持器１０ａは、外輪２の内周面２ａに圧入された際に、圧入によって外輪２に作用する力が圧入領域Ａ，Ｂ，Ｃを中心に周方向へ均等に伝播していくため、外輪２の内周形状にならって変形しやすくなる。このため、外側保持器１０ａの外輪２への圧入時に生じやすい割れの発生を防ぐことができる。
【００３８】
また、図７に示すように、圧入領域Ａ，Ｂ，Ｃは互いに軸心を挟んで対向する位置を避けて設定されており、非圧入領域Ｎは、軸心Ｏを挟んで圧入領域Ａ，Ｂ，Ｃと対向している。圧入領域Ａ，Ｂ，Ｃが周方向に沿って概ね等間隔で設定される場合、圧入領域Ａ，Ｂ，Ｃの数が奇数であれば、このような設定が可能である。ただし、圧入領域Ａ，Ｂ，Ｃは、周方向に沿って少なくとも３箇所以上設けることが望ましいので、圧入領域Ａ，Ｂ，Ｃは、例えば、周方向に沿って５箇所、７箇所等とすることができる。
【００３９】
このように、外側保持器１０ａにおいて、圧入領域Ａ，Ｂ，Ｃを少なくとも３箇所としつつ、非圧入領域Ｎは、軸心Ｏを挟んで圧入領域Ａ，Ｂ，Ｃと対向させることで、外側保持器１０ａは、外輪２の内周面２ａに圧入する領域に対して軸心Ｏを挟んで１８０°反対側の領域は、その圧入直前の状態で外輪２の内周面２ａと接触しない。すなわち、図８に示すように、外側保持器１０ａを、軸心Ｏに直交する面の面方向に対して傾けた状態で、一つの圧入領域Ａを最初に外輪２の内周面２ａへ宛がった場合、外輪２の内周面２ａに対して外側保持器１０ａの外径が相対的に外径側に位置する部分（他の圧入領域Ｂ，Ｃ）が残り、その部分が外輪２の内周面２ａに引っかかるので、外側保持器１０ａが外輪２の内周面２ａをすり抜けて反対側へ出てしまうことはない。ここで、外輪２の内周面２ａに対して外側保持器１０ａの外径が大きい部分とは、最初に外輪２の内周面２ａに宛がわれた圧入領域Ａを除く、他の圧入領域Ｂ，Ｃが相当する。これは、外側保持器１０ａを単体で圧入する場合だけでなく、スプラグ４やリボンスプリング５を含むクラッチＡＳＳＹ状態で圧入を行った場合も同じである。
【００４０】
ここで、仮に、図９に示すように、長径Ｘ、短径Ｙの楕円形状である保持器１０Ａを外輪２Ａに圧入する場合を想定する。図中の符号Ｒは、同じく真円の状態を示している。この場合、楕円形状の保持器１０Ａの最も長い径である長径Ｘを、軸心Ｏに直交する面に対して大きく傾けてしまうと、図１０に示すように、軸心Ｏに直交する面に沿う方向に対する保持器１０Ａの長さＸ’が短くなり、保持器１０Ａの抜けが発生する。例えば、外輪内周面に内径側へ突出する係止フランジ部を設ければ、保持器１０Ａが係止フランジ部に引っかかるので、外輪内周面を反対側へすり抜けてしまう事態を防止できる。しかし、外輪内周面に係止フランジ部を設けた場合、一旦、保持器を外輪内周面に圧入してしまうと、分解しにくいという問題が生じる。  
【００４１】
また、外側保持器１０ａにおいて、圧入領域Ａ，Ｂ，Ｃを少なくとも３箇所としつつ、非圧入領域Ｎは、軸心Ｏを挟んで圧入領域Ａ，Ｂ，Ｃと対向させることで、外側保持器１０ａが外輪２の内周面２ａに圧入されたとき、外輪２の内径形状に沿って外側保持器１０ａの外径形状がならい、外側保持器１０ａの外径を容易に真円に近づけることができる。
【００４２】
ただし、外側保持器１０ａの各部のうち、外輪２の内周面２ａに圧入されない部分（前記圧入領域Ａ，Ｂ，Ｃ以外の部分）であっても、外輪２の内周面２ａへの圧入によって変形して、その変形によって積極的ではないものの、最終的に外輪２の内周面２ａに強い圧力をもって接して、圧入されたような状態になる場合も考えられる。この発明での圧入領域Ａ，Ｂ，Ｃとは、外側保持器１０ａの外輪２の内周面２ａへの圧入の開始時において、最初に外輪２の内周面２ａに圧力をもって接する領域を意味している。
【００４３】
また、外側保持器のすり抜けを防止するために、外輪の内周面に係止フランジ等の突起を設ける手法も考えられる。しかし、一方向クラッチであるクラッチのロック方向、空転方向を確認検査したい場合は、外側保持器（あるいは、保持器１０を含むクラッチの部品ユニット）を一度圧入して、その方向を確認検査した後、再度、それらを外輪の内周面から抜く必要がある。この場合、外輪の内周面に係止フランジ等の突起があると、部品を外輪の内周面から抜きにくくなるという問題が生じる。このとき、係止フランジ等の突起の形状を工夫すればある程度抜きやすくなるとも考えられるが、外輪の内周面が複雑な形状となり、検査用の外輪が高価になってしまうという問題がある。この点、この発明によれば、外輪側に係止フランジ等の突起は不要であるので、そのような問題は生じない。
【００４４】
保持器１０の圧入直前における、圧入領域Ａ，Ｂ，Ｃの外輪２の内周面に対する外径側へのはみ出し量は、外輪２の内周面の寸法Ｗに対して＋１％以下に、保持器１０の圧入直前における、非圧入領域Ｎの外輪２の内周面に対する内周面側への控え量（隙間）は、外輪２の内周面の寸法Ｗに対して１％以下にすることが望ましい。すなわち、保持器１０の外径の形状は、外輪２の内周面の寸法Ｗに対して−１％〜＋１％の寸法で構成することが望ましい。このように設定することで、外輪２の内周面へ保持器１０を圧入する際、組込み荷重が過大になって組込みにくくなることはなく、また、組み込んだ際に保持器１０をより真円に近づけることができる。
【００４５】
この実施形態では、外輪２の外径の形状は円筒状のものを示しているが、これ以外にも、例えば、外輪２の外径に凹凸を設けたり、あるいは、ローレット加工を行ってもよい。いずれの場合も、この外輪２の外径が、トルクコンバータ用のステータに対して圧入等で一体化されることとなる。
【００４６】
上記の実施形態では、係合子４としてスプラグを用いた自動変速機のトルクコンバータ用のスプラグ型ワンウェイクラッチ、さらに、そのスプラグ型ワンウェイクラッチに用いられるクラッチ用保持器１０、そのクラッチ用保持器１０のクラッチ１への組み込み方法について説明したが、このクラッチ１は、トルクコンバータ以外の種々の用途にも使用できる。
【符号の説明】
【００４７】
１  クラッチ（スプラグ型ワンウェイクラッチ）
２  外輪
３  内輪
４  係合子（スプラグ）
１０  保持器
１１  ポケット部
１３  柱部
【図１】
2019143777.tif 000003
【図２】
2019143777.tif 000004
【図３】
2019143777.tif 000005
【図４】
2019143777.tif 000006
【図５】
2019143777.tif 000007
【図６】
2019143777.tif 000008
【図７】
2019143777.tif 000009
【図８】
2019143777.tif 000010
【図９】
2019143777.tif 000011
【図１０】
2019143777.tif 000012